(57)【要約】 【課題】  パイプ内に侵入した水滴がそのままパイプの内部に溜まってしまうのを防ぐ。【解決手段】  シールドパイプ２０には、このシールドパイプ２０の内部空間と外部空間とを連通する水抜き孔２５が設けられているので、シールドパイプ２０の内部に侵入した水は、この水抜き孔２５を通って外部空間へと排出される。また、シールドパイプ２０には、水抜き孔２５を外側から覆う遮蔽部５５が設けられているので、外部空間から水抜き孔２５に向かって水が飛散しても、その水は遮蔽部５５によって跳ね返される。【選択図】  図３
2007012519.tif 000002
【特許請求の範囲】
【請求項１】
電線をシールドパイプによって包囲してなるシールド導電体であって、
前記シールドパイプには、このシールドパイプの内部空間と外部空間とを連通する水抜き孔と、この水抜き孔を外側から覆う遮蔽部とが設けられていることを特徴とするシールド導電体。
【請求項２】
前記水抜き孔は前記シールドパイプの底面に設けられ、前記シールドパイプには前記水抜き孔に向かって下がる傾斜部が形成されていることを特徴とする請求項１に記載のシールド導電体。
【請求項３】
前記傾斜部における最下端位置に前記水抜き孔が設けられていることを特徴とする請求項２に記載のシールド導電体。
【請求項４】
前記シールドパイプには、このシールドパイプを車両に取り付けるための取付部材が備えられ、
前記遮蔽部が、この取付部材に設けられていることを特徴とする請求項１〜請求項３のいずれかに記載のシールド導電体。
【発明の詳細な説明】
【技術分野】
【０００１】
本発明は、シールド導電体に関するものである。
【背景技術】
【０００２】
例えば電気自動車の動力回路として用いられるシールド導電体として、特許文献１に記載のものが知られている。このシールド導電体は、円筒状をなす金属製のパイプ内に、複数本の電線を挿通させたものである。このパイプは、電線を一括してシールドするとともに、電線に対する異物の干渉を保護するものである。
【特許文献１】特開２００４−１７１９５２公報
【発明の開示】
【発明が解決しようとする課題】
【０００３】
上記の構造では、降雨や洗浄等によってパイプ内に侵入した水滴がそのままパイプ内に溜まり、パイプを腐食させてしまうおそれがある。
本発明は上記のような事情に基づいて完成されたものであって、パイプ内に侵入した水滴がそのままパイプの内部に溜まってしまうのを防ぐことを目的とする。
【課題を解決するための手段】
【０００４】
上記の目的を達成するための手段として、請求項１の発明は、電線をシールドパイプによって包囲してなるシールド導電体であって、前記シールドパイプには、このシールドパイプの内部空間と外部空間とを連通する水抜き孔と、この水抜き孔を外側から覆う遮蔽部とが設けられているところに特徴を有する。
【０００５】
請求項２の発明は、請求項１に記載のものにおいて、前記水抜き孔は前記シールドパイプの底面に設けられ、前記シールドパイプには前記水抜き孔に向かって下がる傾斜部が形成されているところに特徴を有する。
【０００６】
請求項３の発明は、請求項２に記載のものにおいて、前記傾斜部における最下端位置に前記水抜き孔が設けられているところに特徴を有する。
【０００７】
請求項４の発明は、請求項１〜請求項３のいずれかに記載のものにおいて、前記シールドパイプには、このシールドパイプを車両に取り付けるための取付部材が備えられ、前記遮蔽部が、この取付部材に設けられているところに特徴を有する。
【発明の効果】
【０００８】
＜請求項１の発明＞
シールドパイプには、このシールドパイプの内部空間と外部空間とを連通する水抜き孔が設けられているので、シールドパイプの内部に侵入した水は、この水抜き孔を通って外部空間へと排出される。これにより、シールドパイプ内に水が溜まってしまうことを防ぐことができる。また、シールドパイプには、水抜き孔を外側から覆う遮蔽部が設けられているので、外部空間から水抜き孔に向かって水が飛散しても、その水は遮蔽部によって跳ね返される。これにより、水抜き孔を介して外部空間から水が侵入してしまうことを防ぐことができる。
【０００９】
＜請求項２の発明＞
水抜き孔はシールドパイプの底面に設けられ、シールドパイプには水抜き孔に向かって下がる傾斜部が形成されているので、シールドパイプ内に侵入した水はこの傾斜部の傾斜によって水抜き孔に導かれ、水抜き孔を介して外部空間へ確実に排出される。
【００１０】
＜請求項３の発明＞
傾斜部における最下端位置に水抜き孔が設けられているので、シールドパイプ内に侵入した水は、傾斜部に沿ってその最下端位置に至ると、そこで溜まってしまうことなく水抜き孔から外部空間へ排出される。これにより、水がシールドパイプの内部に溜まってしまうことを確実に防止できる。
【００１１】
＜請求項４の発明＞
遮蔽部は、シールドパイプを車両に取り付けるための取付部材に設けられているので、遮蔽部と取付部材とを別部材として設けなくてもよい。したがって、これらを別々に設ける場合に比べ部品点数が少なくて済む。
【発明を実施するための最良の形態】
【００１２】
以下、本発明の実施形態を図１〜図４によって説明する。本実施形態のシールド導電体１は、電気自動車の動力回路として用いられるものであり、例えば、動力回路を構成するインバータ、バッテリ、モータなどの装置（図示せず）の間を接続する手段として用いられるものである。図１には、本実施形態におけるシールド導電体１の側面図を、図２には、横断面図を示した。以下、各構成部材において、図１の上側を上方、下側を下方、左側を前方、右側を後方とする。また、図２の左側を左方、右側を右方として説明する。
【００１３】
シールド導電体１は、３本の電線１０を、円筒状のシールドパイプ２０内に挿通させたものである。電線１０は、金属製（例えばアルミニウム合金や銅合金など）の単芯線、または金属細線を螺旋状に撚り合わせてなる銅合金製の撚り線からなる導体１１の外周を合成樹脂製の絶縁被覆１２で包囲したものである。そして、３本の電線１０は、シールドパイプ２０内において、例えば俵積み状（電線１０の中心を結んだときにほぼ正三角形を描く形態）をなすように配され、各電線１０の両端部はシールドパイプ２０の両端縁から導出されている。なお、各電線１０の両端には端子１３が接続され、また後側の端部にはコネクタ１４が取り付けられている。
【００１４】
電線１０を包囲しているシールドパイプ２０は金属製（例えばアルミニウム合金、銅合金、あるいはステンレス鋼など）であり、全体として前後方向に長く、前端部２１Ｆおよび後端部２１Ｂはそれぞれ前方および後方へ向かって上がる形態をなしている。この前後両端部２１Ｆ,２１Ｂには、シールドパイプ２０の外周から外方へ張り出す板状の取付部２２が設けられている。各取付部２２にはボルト孔２３が形成されており、シールドパイプ２０は、この取付部２２を介して車体に取り付けられるようになっている。そして、シールドパイプ２０が車体に取り付けられると、前後両端部２１Ｆ,２１Ｂの間においてほぼ水平をなす水平部２４が、車体の床板３０の下面に沿って外部に露出されるようになっている。
【００１５】
この水平部２４の中央位置には、円形状をなす水抜き孔２５が形成されている。図３には、一部拡大側断面図を、図４には、一部拡大底面図を示した。水抜き孔２５は、図３に示すように、シールドパイプ２０の底面２６を上下方向に貫通形成されており、この水抜き孔２５を介してシールドパイプ２０の内部空間と外部空間とは連通されている。そして、水平部２４の中央部分には、中央位置（水抜き孔２５が形成されている位置）よりもやや両端側に寄った位置から水抜き孔２５に向かって下がる前後一対の傾斜部２７が形成され、この傾斜部２７を側方から見るとＶ字状をなしている。このＶ字状をなす傾斜部２７の最下端位置に水抜き孔２５は配されている。
【００１６】
また、水平部２４のほぼ中央位置には、シールドパイプ２０を車体に取り付けるためのクランプ４０（本発明の取付部材に該当する）が備えられている。クランプ４０は合成樹脂製であり、略半筒形をなす上下一対の半割体である上側半割体４０Ｕおよび下側半割体４０Ｌと、両半割体４０Ｕ,４０Ｌを連結しているヒンジ４１とにより構成されている（図２を併せて参照）。このクランプ４０を前方から見ると、上側半割体４０Ｕは、下側半割体４０Ｌと合体したときの合せ面４２Ｕから上面に向かって幅狭となる台形状をなし、また下側半割体４０Ｌは、上側半割体４０Ｕと合体したときの合せ面４２Ｌから下面に向かって幅狭となる台形状をなしている。そして、両半割体４０Ｕ,４０Ｌは、その右端部同士がヒンジ４１を介して連結され、合体・離間可能となっている。ヒンジ４１はＵ字形の薄板状をなし、両半割体４０Ｕ,４０Ｌと一体成形されている。
【００１７】
また、両半割体４０Ｕ,４０Ｌの左端部には、ロック部４３が設けられている。ロック部４３は、上側半割体４０Ｕに形成されたロック孔４４と、下側半割体４０Ｌに形成されたロックアーム４５とにより構成されている。そして、ロックアーム４５がロック孔４４に差し入れられると、ロックアーム４５に設けられたロック突起４６の下面がロック孔４４を形成している周壁の上面に当接し、ロックアーム４５がロック孔４４に対して係止され、両半割体４０Ｕ,４０Ｌは合体した状態に保持されるようになっている。
【００１８】
各半割体４０Ｕ,４０Ｌには、シールドパイプ２０が装着される装着凹部４７が形成されている。装着凹部４７は合せ面４２Ｕ,４２Ｌからそれぞれ上方および下方に凹む半円弧形をなし、両半割体４０Ｕ,４０Ｌが合体するとシールドパイプ２０に外嵌する円筒状をなすようになっている。この装着凹部４７にシールドパイプ２０を嵌め、両半割体４０Ｕ,４０Ｌを合体させると、シールドパイプ２０は径方向に変位規制された状態でクランプ４０に装着されるようになっている。
【００１９】
上側半割体４０Ｕの上面には、車体の床板３０に形成された係止孔３１に係止される係止部５０が備えられている。係止部５０は、図３に示すように、床板３０の下面に当接する基板５１と、係止孔３１の上方位置で係止される一対の弾性係止片５２と、基板５１と弾性係止片５２との間に形成されている繋ぎ部５３とを備えている。基板５１は上側半割体４０Ｕの上面よりやや上方位置において水平方向に張り出す形態をなし、この基板５１の上面には、係止孔３１に嵌合可能な断面形状をなすとともに床板３０の厚みとほぼ同じ高さとされた繋ぎ部５３が形成されている。そして、この繋ぎ部５３の上面から一対の弾性係止片５２が立上げられている。一対の弾性係止片５２は、繋ぎ部５３の上面において互いに前後方向に離間した位置から、上方に向かってさらに離れた後再び接近する形態をなし、その上端において接合されている。弾性係止片５２の外形は、下方に向かって前後方向に幅広となる形状をなし、その下端は繋ぎ部５３よりも前後方向に張り出している。この弾性係止片５２は、係止孔３１に差し入れられる際にはその開口縁に当たって互いに前後方向に近づくように弾性変形し、係止孔３１を通り抜けると復元力により前後方向に張り出して、係止孔３１に対し抜止めされるようになっている。こうして、シールドパイプ２０を装着したクランプ４０を車体の床板３０に取り付けることにより、シールドパイプ２０は床板３０の下側に固定される。
【００２０】
下側半割部４０Ｌの下部には、装着凹部４７から下向きに開口する排水空間５４が形成されている。排水空間５４は、装着凹部４７においてシールドパイプ２０の水抜き孔２５とその周辺に対応する部分から、下側半割部４０Ｌの下面にかけて上下方向に貫通するように形成されており、周りを周壁５６で囲まれた断面四角形状をなしている。この排水空間５４により、水抜き孔２５は下方に開放された状態となっている。
【００２１】
排水空間５４の下端位置には、水抜き孔２５を下側から覆う板状の遮蔽部５５がクランプ４０と一体的に形成されている。この遮蔽部５５は、下方から見ると、図４に示すように、水抜き孔２５をすっぽり覆う四角形状をなし、排水空間５４の周壁５６における左右両壁部５６Ｌ,５６Ｒに架渡されるようにして設けられている。この遮蔽部５５と排水空間５４の周壁５６における前後両壁部５６Ｆ,５６Ｂとの間には所定の間隔が空けられ、つまり排水空間５４の下端部において遮蔽部５５の前方および後方、すなわち水抜き孔２５と非対応の部分は開口されたまま残されている。両開口は四角形状をなし、水抜き孔２５から排出された水が排水される排水口５７となっている。
【００２２】
次に、上記のように構成された本実施形態の作用および効果について説明する。
洗浄等によって、シールドパイプ２０の両端からシールドパイプ２０内に水滴が侵入すると、その水滴は前端部２１Ｆもしくは後端部２１Ｂ内を下方に伝わり水平部２４内に至る。そして、水滴は、水平部２４の中央部分に至ると傾斜部２７の傾斜に沿って流れ、その最下端位置に達し、そこに設けられている水抜き孔２５から外部へと排出される。このように、シールドパイプ２０には、シールドパイプ２０の内部空間と外部空間とを連通する水抜き孔２５が設けられているから、シールドパイプ２０内に侵入した水滴は内部に溜まることなく水抜き孔２５から外部へ排出される。
【００２３】
また、洗車等によって飛び散った水滴が水抜き孔２５に向かって飛散することがある。ここで、遮蔽部５５が備えられていないと、その飛沫は水抜き孔２５を介してシールドパイプ２０内に飛び散ってしまうおそれがある。しかし、本実施形態のように、水抜き孔２５を下側から覆う遮蔽部５５が設けられていると、飛散した水滴はこの遮蔽部５５によって跳ね返されるため、それ以上内方、すなわちシールドパイプ２０内に侵入することはない。したがって、外部空間からの飛沫が水抜き孔２５を介してシールドパイプ２０内に侵入してしまうことを回避できる。特に、本実施形態のように、シールドパイプ２０が床板３０の下側に露出された状態で配索され、水抜き孔２５が外部にさらされている場合、この水抜き孔２５には直接水滴が飛んでくることになるが、このような構造においても本実施形態によればシールドパイプ２０内への水の侵入を防ぐことが可能になる。
【００２４】
また、遮蔽部５５は、シールドパイプ２０を車体に取り付けるためのクランプ４０に設けられているので、遮蔽部５５とクランプ４０とを別部材として設けなくてもよく、これらを別々に設ける場合に比べ部品点数が少なくて済む。
【００２５】
以上説明したように本実施形態によれば、シールドパイプ２０には、このシールドパイプ２０の内部空間と外部空間とを連通する水抜き孔２５が設けられているので、シールドパイプ２０の内部に侵入した水は、この水抜き孔２５を通って外部空間へと排出される。これにより、シールドパイプ２０内に水が溜まってしまうことを防ぐことができる。また、シールドパイプ２０には、水抜き孔２５を外側から覆う遮蔽部５５が設けられているので、外部空間から水抜き孔２５に向かって水が飛散しても、その水は遮蔽部５５によって跳ね返される。これにより、水抜き孔２５を介して外部空間から水が侵入してしまうことを防ぐことができる。
【００２６】
さらに、水抜き孔２５はシールドパイプ２０の底面２６に設けられ、シールドパイプ２０には水抜き孔２５に向かって下がる傾斜部２７が形成されているので、シールドパイプ２０内に侵入した水はこの傾斜部２７の傾斜によって水抜き孔２５に導かれ、水抜き孔２５を介して外部空間へ確実に排出される。
【００２７】
加えて、水抜き孔２５は、傾斜部２７における最下端位置に設けられているので、シールドパイプ２０内に侵入した水は、傾斜部２７に沿ってその最下端位置に至ると、そこで溜まってしまうことなく水抜き孔２５から外部空間へ排出される。これにより、水がシールドパイプ２０の内部に溜まってしまうことを確実に防止できる。
【００２８】
＜他の実施形態＞
本発明は上記記述及び図面によって説明した実施形態に限定されるものではなく、例えば次のような実施態様も本発明の技術的範囲に含まれ、さらに、下記以外にも要旨を逸脱しない範囲内で種々変更して実施することができる。
【００２９】
（１）上記実施形態では、シールドパイプ２０内において、３本の電線１０が俵積み状をなすように配されているが、本発明によれば、電線の本数や配し方はこのようでなくても構わず、例えばシールドパイプ内に挿通される電線は２本でもよく、また、一列に並ぶように配されていてもよい。
【００３０】
（２）上記実施形態では、シールドパイプ２０は円筒状をなしているが、本発明によれば、シールドパイプは電線の外周を包囲可能な形状をなしていればどのような形状でも構わず、例えば角筒状をなしていてもよい。
【００３１】
（３）上記実施形態では、シールドパイプ２０は床板３０の下側に露出された状態で配索されるものとされているが、本発明によれば、シールドパイプは車体の床下に限らずエンジンルーム内に配索されるものであってもよい。
【００３２】
（４）上記実施形態では、水抜き孔２５はシールドパイプ２０の底面２６を上下方向に貫通するようにして形成されているが、本発明によれば、水抜き孔が形成されるのはシールドパイプの底面でなくても構わず、例えば側面の低い位置に形成されていてもよい。
【００３３】
（５）上記実施形態では、水抜き孔２５は円形状をなしているが、本発明によれば、水抜き孔はシールドパイプの内部空間と外部空間とを連通するものであればその形状は円形状でなくても構わず、例えば四角形状をなしていてもよい。
【００３４】
（６）上記実施形態では、シールドパイプ２０には傾斜部２７が形成されているが、本発明によれば、シールドパイプに傾斜部は形成されていなくてもよく、例えばシールドパイプは前後にわたって水平とされていてもよい。
【００３５】
（７）上記実施形態では、水抜き孔２５は傾斜部２７の最下端位置に１個だけ配されているが、本発明によれば、水抜き孔は傾斜の最下端位置に限らずその途中に配されていてもよく、また何個設けられていてもよい。
【００３６】
（８）上記実施形態では、遮蔽部５５はクランプ４０と一体的に形成されているが、本発明によれば、遮蔽部はクランプに一体的に設けられていなくてもよく、例えばクランプとは別に専用の遮蔽部を設けてもよい。この場合、遮蔽部の取付手段としては溶接等によりシールドパイプに固定することができる。
【００３７】
（９）上記実施形態では、遮蔽部５５は下方から見ると四角形状をなしているが、本発明によれば、遮蔽部は水抜き孔を覆うことができれば四角形状でなくても構わず、例えば、楕円形状をなしていてもよい。
【００３８】
（１０）上記実施形態では、遮蔽部５５の前方および後方の開口が排水口５７とされているが、本発明によれば、排水口はどこに開口されていてもよく、例えば、遮蔽部の左方および右方に開口されていてもよく、また排水空間の周壁に開口されていてもよい。
【図面の簡単な説明】
【００３９】
【図１】本実施形態におけるシールド導電体の側面図
【図２】横断面図
【図３】一部拡大側断面図
【図４】一部拡大底面図
【符号の説明】
【００４０】
１…シールド導電体
１０…電線
２０…シールドパイプ
２５…水抜き孔
２６…底面
２７…傾斜部
４０…クランプ（取付部材）
５５…遮蔽部
【図１】
2007012519.tif 000003
【図２】
2007012519.tif 000004
【図３】
2007012519.tif 000005
【図４】
2007012519.tif 000006